(57)【特許請求の範囲】
【請求項１】
情報処理装置の筐体を上側半体及び下側半体によって構成する本体ケースと、
上記本体ケースの内部に収納され、上記情報処理装置を構成する電子部品の少なくとも一部を収納する箱状の収納部を有する内部シャーシと、
上記内部シャーシに対して所定角度範囲内で回動自在に取付けられたハンドルと、
を具え、
上記内部シャーシに対して直接取付けられた上記ハンドルを回動することにより当該ハンドルの１部を上記本体ケースに収納するハンドル収納溝を設けると共に、上記本体ケースの当該ハンドル収納溝に収納した状態において、上記ハンドルの把持部が上記本体ケースから突出することにより上記筐体のチルトスタンドとして機能する
情報処理装置。
【請求項２】
上記本体ケースに平行なハンドル携行位置から上記ハンドル収納溝に収納した状態位置までの上記ハンドルの回動角度を、（９０°＋Ａ）の範囲に設定する（ただし、Ａ＞載置面と本体ケースの平行面との傾斜角度Ｂ）
請求項１に記載の情報処理装置。
【請求項３】
上記本体ケースを載置面に対し水平方向に傾斜させる状態にしたときに、上記ハンドルが自重によりチルトスタンド位置近傍まで下方向へ回動するように上記ハンドルの回動抵抗を設定する
請求項１に記載の情報処理装置。
【請求項４】
上記内部シャーシに設けられている雌ねじに対し所定の雄ねじを用いることにより、上記上側半体及び上記下側半体を当該内部シャーシに直接取付ける構造を有する
請求項１に記載の情報処理装置。
【発明の詳細な説明】
【０００１】
【発明の属する技術分野】
本発明は情報処理装置に関し、例えばノートブック型パーソナルコンピュータに適用して好適なものである。
【０００２】
【従来の技術】
従来パーソナルコンピュータにおいて、マザーボードやハードディスクドライブを内蔵した偏平板状の本体に、液晶表示パネル等の薄型表示手段を有する表示部を回動自在に設けたノートブック型コンピュータ（以下、これをノートパソコンと呼ぶ）がある。
【０００３】
かかる構成のノートパソコンにおいては、その使用時において、表示部を本体に対して展開することにより、当該本体の上面に設けられたキーボードを使用可能な状態にすると共に、表示手段をユーザに対して対向させて視認可能な状態とし、その携行時において、表示部を本体に対して閉じることにより、本体と表示部とを一体化してノートパソコン１全体の形状を小型化し、携行性を向上し得るようになされている。
【０００４】
【発明が解決しようとする課題】
かかる構成のノートパソコンにおいては、その筐体の材質として、一般にＡＢＳ等の合成樹脂やマグネシウム等の金属材が用いられている。
【０００５】
ところが合成樹脂製の筐体を用いたノートパソコンにおいては、合成樹脂の剛性が比較的低いため、筐体全体の強度を確保するために筐体デザインの自由度（例えば開口部の形状や面積、筐体の薄型化等）に制約が生じるという問題があった。
【０００６】
また、金属製の筐体を用いたノートパソコンにおいては、金属材の加工は合成樹脂の加工に比べて難しいことから、筐体デザインの自由度に制約が生じるという問題があった。
【０００７】
また、金属製の筐体を用いたノートパソコンにおいては、その外観品位を確保するため筐体表面に塗装処理を行う必要があり、このため筐体の製造工程が煩雑になるという問題があった。
【０００８】
本発明は以上の点を考慮してなされたもので、簡易な構成で、高い機械的強度を有する情報処理装置を提案しようとするものである。
【０００９】
【課題を解決するための手段】
かかる課題を解決するため本発明においては、情報処理装置の筐体を上側半体及び下側半体によって構成する本体ケースと、本体ケースの内部に収納され、情報処理装置を構成する電子部品の少なくとも一部を収納する箱状の収納部を有する内部シャーシと、内部シャーシに対して所定角度範囲内で回動自在に取付けられたハンドルと、を具え、内部シャーシに対して直接取付けられたハンドルを回動することにより当該ハンドルの１部を本体ケースに収納するハンドル収納溝を設けると共に、本体ケースの当該ハンドル収納溝に収納した状態において、ハンドルの把持部が本体ケースから突出することにより筐体のチルトスタンドとして機能するようにした。
【００１０】
この結果本体ケース及びハンドルを直接内部シャーシに取付けたので、情報処理装置本体の機械的強度を内部シャーシで負担することができ、本体ケースに機械的強度を負担させる必要がなくなり、筐体デザインの自由度を確保しつつ、簡易な構成で高い機械的強度を得ることができる。
【００１１】
【発明の実施の形態】
以下図面について本発明の一実施の形態を詳述する。
【００１２】
図１において、１は全体として本発明を適用したノートブック型パーソナルコンピュータ（以下、これをノートパソコンと呼ぶ）を示し、本体２と、当該本体２の上面後端に当該本体２に対して開閉自在に設けられた表示部３とで構成されている。
【００１３】
本体２には、その上面に各種文字や記号及び数字等を入力するための複数の操作キーからなるキーボード４、２つのスピーカ５、マウスカーソルの移動に用いられるタッチパッド６、通常のマウスにおける左ボタン及び右ボタンに相当する左クリックボタン７及び右クリックボタン８、及び押しボタン式の電源スイッチ９が設けられている。
【００１４】
また、本体２の右側面には着脱式のバッテリパックＢＰが挿着されていると共に、本体２の左側面には、ＣＤ−ＲＯＭ（Compact Disk-Read Only Memory ）ドライブＣＤＤが設けられている。
【００１５】
さらに、本体２の上面前端におけるタッチパッド６の右隣近傍には収納式のツメ１０が設けられると共に、当該ツメ１０に対応する表示部３の所定位置にはツメ孔１１が設けられている。
【００１６】
そしてノートパソコン１においては、表示部３を本体２に対して閉じた状態で、本体２の前側面に設けられたスライドレバー１２を矢印Ｌ方向にスライド操作することにより、収納されていたツメ１０を起立してツメ孔１１に係合させ、これにより本体２と表示部３とを確実に係止し、その携行時等において表示部３が不意に開いてしまうことを防止するようになされている。
【００１７】
またノートパソコン１においては、スライドレバー１２を矢印Ｒ方向にスライド操作することにより、起立されていたツメ１０を収納してツメ孔１１との係止を解除し、表示部３を本体２に対して開き得るようになされている。
【００１８】
一方、表示部３には、その正面にＴＦＴ−ＬＣＤ(Thin Film Transistor-Liquid Cryctal Display) でなる液晶表示パネルを用いた液晶ディスプレイ１５が設けられている。
【００１９】
また、表示部３における本体２との接続部分であるヒンジ部１６を除いた周縁部には、例えばＡＢＳ等の合成樹脂を屈曲した丸パイプ状に成形してなる周縁保護材１７が周設されている。
【００２０】
図２に示すように周縁保護材１７は、その外周が本体２の周縁部よりも外方に張り出すようになされており、表示部３を本体２に対して閉じた状態（例えばノートパソコン１の携行時）において、周縁方向から加えられる衝撃を受け止めることにより、ハードディスクドライブ等の精密デバイスを内蔵した本体２を衝撃から保護するようになされている。
【００２１】
また、周縁保護材１７はその全長に渡って内部が中空に成形されており、その重量を軽減すると共に、受け止めた衝撃に応じて適度に変形し衝撃を吸収するようになされている。
【００２２】
ここで、一般に周縁保護材１７のような屈曲したパイプ状部材を製造する場合、図３（Ａ）に示すように比較的簡単な形状に分割された複数のパイプ部材５０Ａ〜５０Ｃを接合して構成したり、あるいは図３（Ｂ）に示すように上下に分割されたＵ字断面の半体部材５１Ａ、５１Ｂを接合して構成することが考えられる。
【００２３】
しかし、これらの製造方法においてはいずれも各部材を接着或いは溶着等の方法で接合する必要があり、これにより接合部の強度や外観品位が低下すると共に製造工程が煩雑になるという問題がある。
【００２４】
これに対して本願発明のノートパソコン１においては、ガスアシスト成形法と呼ばれる中空成形法を用いて周縁保護材１７を射出成形することにより、当該周縁保護材１７を分割することなく一体かつ中空に成形することができ、これにより周縁保護材１７の強度及び外観品位を向上し得るようになされている。
【００２５】
ちなみに図４はガスアシスト成形法の原理を示し、金型５２のキャビティ５３内に当該キャビティ５３の容積よりも少ない量の溶融樹脂５４を射出ノズル５５から充填した後（図４（Ａ））、窒素ガス等の不活性ガスを注入することにより成型品５６の内部に中空部５７を形成するものである（図４（Ｂ））。
【００２６】
かくしてノートパソコン１においては、ガスアシスト成形法を用いて中空かつ一体に成形された周縁保護材１７を、本体２の外周よりも張り出すようにして表示部３に周設したことにより、周縁方向からの衝撃を当該周縁保護材１７で確実に吸収して本体２及び表示部３を保護する。
【００２７】
ここで、周縁保護材１７は表示部３のみに設けられていることから、周縁保護材１７に周縁方向から加えられた衝撃は、表示部３を本体２に対して横ずれさせる横ずれ力として作用する。
【００２８】
そして、かかる横ずれ力は表示部３と本体２との接続部分であるヒンジ部１６に集中して作用し、これにより当該ヒンジ部１６が破損する恐れがある。
【００２９】
このため本願発明のノートパソコン１においては、図１に示すように、本体２の上面におけるツメ１０の近傍に棒状の横ずれ防止シャフト１３を垂設すると共に、当該横ずれ防止シャフト１３に対応する表示部３の所定位置にシャフト孔１４を設け、表示部３を本体２に対して閉じた状態でシャフト孔１４に横ずれ防止シャフト１３を嵌合させ、当該横ずれ防止シャフト１３によって表示部３の横ずれを防止し、衝撃によるヒンジ部１６の破損を防ぐようになされている。
【００３０】
この横ずれ防止シャフト１３は本体２の上面前端に設けられており、本体２の上面後端に設けられているヒンジ部１６に対して可能な限り離開して設けられていることから、周縁保護材１７に周縁方向から加えられた衝撃を横ずれ防止シャフト１３とヒンジ部１６とで分散して受け止め、これによりヒンジ部１６の破損を確実に防ぐことができる。
【００３１】
またノートパソコン１においては、スライドレバー１２のスライド操作に応じたツメ１０の収納及び起立に伴って、横ずれ防止シャフト１３を収納及び伸長するようになされている。
【００３２】
図５は、スライドレバー１２、ツメ１０及び横ずれ防止シャフト１３からなるラッチ部１８の詳細な構造を示し、スライドレバー１２には円弧状のガイド溝１２Ａが設けられており、スライドレバー１２のスライド操作に応じてツメ１０に設けられたガイドピン１０Ａがガイド溝１２Ａ内を摺動しつつ押動され、これによりツメ１０が回動軸１０Ｂを中心に回動する。
【００３３】
また、スライドレバー１２には直線状のガイド溝１２Ｂが設けられており、スライドレバー１２のスライド操作に応じて横ずれ防止シャフト１３に設けられたガイドピン１３Ａがガイド溝１２Ｂ内を摺動しつつ押動され、これにより横ずれ防止シャフト１３が本体２の上下方向に往復する。
【００３４】
図５（Ａ）はスライドレバー１２が矢印Ｒ方向の移動限界位置にある状態を示し、ガイドピン１０Ａはガイド溝１２Ａによって矢印Ｒ方向に押動され、これによりツメ１０は反時計回りに回動して本体２の内部に収納される。また、ガイドピン１３Ａはガイド溝１２Ｂによって本体２の下方向に押動され、これにより横ずれ防止シャフト１３は本体２の下方向に移動して当該本体２の内部に収納される。
【００３５】
そして、スライドレバー１２が矢印Ｌ方向に移動されると、図５（Ｂ）に示すように、ガイドピン１０Ａはガイド溝１２Ａによって矢印Ｌ方向に押動されていき、これによりツメ１０は時計回りに回動して起立していく。また、ガイドピン１３Ａはガイド溝１２Ｂによって本体２の上方向に押動されていき、これにより横ずれ防止シャフト１３は本体２の上方向に移動して伸長していく。
【００３６】
図５（Ｃ）はスライドレバー１２が矢印Ｌ方向の移動限界位置にある状態を示し、ガイドピン１０Ａはガイド溝１２Ａによって矢印Ｌ方向に押動され、これによりツメ１０は完全に起立してツメ１０の先端部１０Ｃが表示部３のツメ孔１１と噛み合い、かくして本体２と表示部３とがツメ１０によって締結される。また、ガイドピン１３Ａはガイド溝１２Ｂによって本体２の上方向に押動され、これにより横ずれ防止シャフト１３は上方向に移動して完全に伸長し、表示部３のシャフト孔１４に嵌合する。
【００３７】
かくしてノートパソコン１においては、その使用時においてツメ１０及び横ずれ防止シャフト１３を本体２の内部に収納し、ツメ１０及び横ずれ防止シャフト１３がキーボード操作の妨げにならないようになされている。
【００３８】
一方図６に示すように、ノートパソコン１の背面１Ａには、ＵＳＢ（Universal Serial Bus）やＬＡＮ（Local Area Network）等の各種コネクタが配設された入出力ポート部２０が設けられていると共に、当該背面１Ａにおけるヒンジ部１６には、略弓型の円柱状部材でなるハンドル２１が、本体２に対して所定角度範囲内で回動自在に設けられている。ここで、表示部３の回動軸及びハンドル２１の回動軸は同一軸線上に設けられていると共に、周縁保護材１７の外径とハンドル２１の外径とは同一になされており、全体として周縁保護材１７とハンドル２１とが連続した外形を有している。
【００３９】
そしてハンドル２１においては、図７（Ａ）及び図８（Ａ）に示すように、本体２に対して平行に起立させることにより、把持部２１Ａを背面１Ａから離開させノートパソコン１を携行する際の把持手段として使用し得るようになされている（この回動位置を携行位置Ｐ１と呼ぶ）。
【００４０】
またハンドル２１においては、図７（Ｂ）及び図８（Ｂ）に示すように、下方に回動して折り畳むことにより、ノートパソコン１の奥行き方向の寸法を小型化し、さらに図９に示すように、把持部２１Ａを本体２の下面側に位置させ、これによりノートパソコン１を机等に載置した状態で本体２を傾斜させてキーボード４の操作性を向上するためのチルトスタンドとして使用し得るようになされている（この回動位置をチルトスタンド位置Ｐ２と呼ぶ）。
【００４１】
ここで本体２においては、図１０に示すように、ハンドル２１の垂直部２１Ｂに対応する位置にハンドル収納溝２２が設けられており、チルトスタンド位置Ｐ２において垂直部２１Ｂがハンドル収納溝２２に収納され、これによりハンドル２１がノートパソコン１の背面１Ａから突出しないようになされている。
【００４２】
かくしてノートパソコン１は、その携行時においてハンドル２１を携行位置Ｐ１に起立させることにより、把持部２１Ａを背面１Ａから十分に離開させて当該ハンドル２１の把持性を向上し、また、その使用時においてハンドル２１をチルトスタンド位置Ｐ２に折り畳むことにより、ハンドル２１の垂直部２１Ｂをハンドル収納溝２２に収納してノートパソコン１の奥行き方向の寸法を小型化すると共に、本体２を傾斜させてキーボード４の操作性を向上し得るようになされている。
【００４３】
ここで、図９においてハンドル２１をチルトスタンド位置Ｐ２に回動した場合における本体２の傾斜角度をαとすると、ハンドル２１の回動角度範囲は、本体２と平行な状態（すなわち携行位置Ｐ１）から、９０°＋β（ここでβ＞α）の範囲に設定されており、このためハンドル２１はチルトスタンド位置Ｐ２において載置面Ａに対して鈍角（９０°＋β−α）をなす。
【００４４】
これによりハンドル２１は、ノートパソコン１の自重によって矢印Ｆ方向への力を受けて安定し、かくしてノートパソコン１においては、外力によってハンドル３１がチルトスタンド位置から不意に回動することを防止し得るようになされている。
【００４５】
また、ノートパソコン１においてはハンドル２１が入出力ポート部２０の上方に設けられているため、ハンドル２１が携行位置Ｐ１にある状態で入出力ポート部２０に入出力ケーブル２３を接続し（図１１（Ａ））、その後当該ハンドル２１をチルトスタンド位置Ｐ２に回動させようとすると、ハンドル２１と入出力ケーブル２３とが接触し、ハンドル２１をチルトスタンド位置Ｐ２へ回動し得ないばかりか、入出力ポート部２０や入出力ケーブル２３を破損してしまう恐れがあるという問題がある（図１１（Ｂ））。
【００４６】
このためノートパソコン１においては、当該ノートパソコン１を略水平に位置された状態でハンドル２１がその自重によって自然に下方へ回動するようにハンドル２１の回動抵抗が設定されており、これによりノートパソコン１をテーブル等に載置する際にハンドル２１がチルトスタンド位置Ｐ２近傍まで自動的に回動し、かくしてハンドル２１と入出力ケーブル２３との干渉を未然に防止し得るようになされている。
【００４７】
次に、本体２の内部構造について説明する。
【００４８】
図１２に示すように、ノートパソコン１の本体２においては、当該本体２の外壁を構成する本体ケース３０の内部に、マグネシウムのダイキャスト成型品でなる内部シャーシ３１が収納されている。
【００４９】
本体ケース３０は、ポリカーボネート樹脂の射出成型品でなる上側半体３０Ａ及び下側半体３０Ｂから構成される。この上側半体３０Ａ及び下側半体３０Ｂは、それぞれに複数個設けられたネジ孔に挿通した取付ネジを内部シャーシ３１に設けられた雌ネジに螺止することにより内部シャーシ３１に取り付けられる。このためこの本体ケース３０においては、その取り付けのためのインサートナット（埋め込み式のナット）が不要になり、これにより当該本体ケース３０の構造を簡易化し得ると共に、リサイクルを容易に行い得るようになされている。
【００５０】
内部シャーシ３１は、ＣＤ−ＲＯＭドライブＣＤＤ及びバッテリパックＢＰをそれぞれ収納する箱状の収納部３２及び３３を有している。
【００５１】
収納部３２及び３３は、それぞれ複数の平面３２Ａ〜３２Ｃ及び３３Ａ〜３３Ｃから構成されており、このため内部シャーシ３１は全体として複数の平面を立体的に組み合わせて構成された立体構造を備え、これにより曲げやねじりに対して高い剛性を有している。
【００５２】
内部シャーシ３１の前側面にはラッチ部１８が取り付けられていると共に、内部シャーシ３１の上面後端には２つのハンドル基部２１Ｃを介してハンドル２１が回動自在に取り付けられ、さらに当該ハンドル基部２１Ｃの外側には、表示部３（図示せず）を回動自在に保持する２つの表示部ヒンジ１６Ａが取り付けられている。
【００５３】
また、内部シャーシ３１の下面には、ＣＰＵ（Central Processing Unit ）やハードディスクドライブ、各種コネクタ等を配設した回路基板３４が取り付けられている。
【００５４】
ここでノートパソコン１においては、高い剛性を有する内部シャーシ３１に対して表示部３、ラッチ部１８、ハンドル２１が直接取り付けられ、当該内部シャーシ３１が本体２の機械的強度を負担するようになされている。このためノートパソコン１においては本体ケース３０に機械的強度を負担させる必要が無く、これにより本体ケース３０のデザインの自由度が増えると共に、本体ケース３０に大きな開口部を設けることができる。
【００５５】
すなわち本体ケース３０の下側半体３０Ｂには、回路基板３４の輪郭とほぼ全同一形状の開口部３５が設けられており、当該開口部３５にアクセス蓋３６がはめ込まれて取り付けられることにより、下側半体３０Ｂ及びアクセス蓋３６が一体となって本体２の外壁を構成するようになされている。
【００５６】
そしてノートパソコン１においては、アクセス蓋３６を取り外すだけで回路基板３２の一面のほぼ全体が露出し、当該回路基板３２に取り付けられているＣＰＵやハードディスクドライブを容易に交換することができる。
【００５７】
またノートパソコン１においては、ＣＰＵ等が発生する熱を内部シャーシ３１に伝熱して当該内部シャーシ３１全体に分散させ、本体ケース３０の特定部位が高温になることを防止するようになされている。
【００５８】
以上の構成において、このノートパソコン１では、マグネシウムのダイキャスト成型品でなる内部シャーシ３１に、本体２の外壁を構成する合成樹脂の射出成型品でなる本体ケース３０の上側半体３０Ａ及び下側半体３０Ｂを取り付けるようにした。
【００５９】
これによりこのノートパソコン１では、本体ケース３０に機械的強度を負担させる必要が無くなり、本体ケース３０のデザインの自由度が増えると共に、本体ケース３０に大きな開口部を設けることができる。さらに、このノートパソコン１では、本体２に加えられた衝撃は本体ケース３０を介して内部シャーシ３１に間接的に伝わるため、内部シャーシ３１にかかる衝撃を緩衝することができ、これにより回路基板３２、ＣＤ−ＲＯＭドライブＣＤＤ、バッテリパックＢＰを保護することができる。
【００６０】
また、このノートパソコン１では、内部シャーシ３１に対して表示部３、ラッチ部１８及びハンドル２１を直接取り付けるようにした。
【００６１】
ここで内部シャーシ３１は、箱状の収納部３２及び３３を有していることから、全体として複数の平面を立体的に組み合わせて構成された立体構造を備え、曲げやねじりに対して高い剛性を有している。
【００６２】
従ってこのノートパソコン１では、内部シャーシ３１にハンドル２１が直接取り付けられていることから、その携行時においてハンドル２１を把持して吊下するに十分な強度を持つことができる。
【００６３】
またこのノートパソコン１では、内部シャーシ３１に表示部３及びラッチ部１８が直接取り付けられていることから、表示部３に周設された周縁保護材１７に衝撃を受けたとしても、当該衝撃によるヒンジ部１６の損傷を防ぐことができる。
【００６４】
以上の構成によれば、曲げやねじりに対して高い剛性を有する内部シャーシ３１に本体２の外壁を構成する本体ケース３０の上側半体３０Ａ及び下側半体３０Ｂを取り付けるようにすると共に、当該内部シャーシ３１に表示部３やハンドル２１を直接取り付けるようにしたことにより、全体としてノートパソコン１の強度を高めることができる。
【００６５】
なお上述の実施の形態においては、本体と表示部とが開閉自在に連結されたノートパソコンに本発明を適用した場合について述べたが、本発明はこれに限らず、例えば本体に液晶ディスプレイ等の表示手段が一体に組み込まれたＰＤＡ（Personal Data Assitant）等、他の種々の情報処理装置に本発明を適用しても良い。
【００６６】
また上述の実施の形態においては、内部シャーシ３１の材質としてマグネシウムを用いた場合に付いて述べたが、本発明はこれに限らず、例えば金属板のプレス成型品や、あるいは炭素繊維強化樹脂の成形品等、ノートパソコン１の機械的強度を負担し得るような様々な材質を内部シャーシ３１に適用しても良い。
【００６７】
また上述の実施の形態においては、本体ケース３０の材質としてポリカーボネート樹脂を用いた場合に付いて述べたが、本発明はこれに限らず、例えばＡＢＳ樹脂や金属板等、他の様々な材質を本体ケース３０に適用しても良い。
【００６８】
【発明の効果】
上述のように本発明によれば、情報処理装置の筐体を上側半体及び下側半体によって構成する本体ケースと、本体ケースの内部に収納され、情報処理装置を構成する電子部品の少なくとも一部を収納する箱状の収納部を有する内部シャーシと、内部シャーシに対して所定角度範囲内で回動自在に取付けられたハンドルと、を具え、内部シャーシに対して直接取付けられたハンドルを回動することにより当該ハンドルの１部を本体ケースに収納するハンドル収納溝を設けると共に、本体ケースの当該ハンドル収納溝に収納した状態において、ハンドルの把持部が本体ケースから突出することにより筐体のチルトスタンドとして機能するようにしたことにより、情報処理装置本体の機械的強度を高い剛性を有する内部シャーシで負担することができるので、内部シャーシに取付けられた筐体及びハンドルの強度も高められ、情報処理装置全体としてまた携行時においてハンドルを把持して吊下するのに十分な強度をもち、チルトスタンドとしての強度を高めることができ、かくして筐体デザインの自由度を確保しつつ、簡易な構成で高い機械的強度が得られる情報処理装置を実現できる。
【図面の簡単な説明】
【図１】本発明によるノートパソコンの一実施の形態を示す略線的斜視図である。
【図２】周縁保護材と本体の関係を示す略線図である。
【図３】パイプ状部材の製造方法の例を示す略線的斜視図である。
【図４】ガスアシスト成形法の原理を示す略線図である。
【図５】ラッチ部の構造を示す略線図である。
【図６】ノートパソコンの背面の構成を示す略線的斜視図である。
【図７】ハンドルの回動状態を示す略線的斜視図である。
【図８】ハンドルの回動状態を示す略線的斜視図である。
【図９】ハンドルの回動角度を示す略線図である。
【図１０】ハンドル収納溝を示す略線的斜視図である。
【図１１】ハンドルと入出力ケーブルの干渉状態を示す略線図である。
【図１２】本体の内部構造を示す略線的斜視図である。
【符号の説明】
１……ノートパソコン、２……本体、３……表示部、４……キーボード、５……スピーカ、６……タッチパッド、１０……ツメ、１１……ツメ孔、１２……スライドレバー、１３……横ずれ防止シャフト、１４……シャフト孔、１５……液晶ディスプレイ、１６……ヒンジ部、１７……周縁保護材、１８……ラッチ部、２０……入出力ポート部、２１……ハンドル、２２……ハンドル収納溝、３０……本体ケース、３１……内部シャーシ、３２、３３……収納部、３４……回路基板、３５……開口部、３６……アクセス蓋。
【図１】
0004547588.tif 000002
【図２】
0004547588.tif 000003
【図３】
0004547588.tif 000004
【図４】
0004547588.tif 000005
【図５】
0004547588.tif 000006
【図６】
0004547588.tif 000007
【図７】
0004547588.tif 000008
【図８】
0004547588.tif 000009
【図９】
0004547588.tif 000010
【図１０】
0004547588.tif 000011
【図１１】
0004547588.tif 000012
【図１２】
0004547588.tif 000013